(57)【要約】【課題】  作業員の負担を軽減して作業効率を向上させると共に、施工品質を向上させ、さらに施工価格を低減させる。【解決手段】  梁部材又は柱部材等に埋め込むインサート部材２０と、インサート部材２０に取り付けて、ハーフプレキャストコンクリート板３０を支持するアンカー筋１０とによりスラブ接合構造を形成する。インサート部材２０には、アンカー筋１０の一端部をねじ込むための雌ネジ部２１を設けてある。アンカー筋１０には、その一端部に、雌ネジ部２１にねじ込むための雄ネジ部１１を設け、他端部に、締め付け工具（例えば、レンチ又はドライバ）に係合する係合部（例えば、ナット部１２又は溝部１１２）を設けてある。【選択図】図４
2014020120.tif 000002
【特許請求の範囲】
【請求項１】
一端部に、インサート部材に設けた雌ネジ部にねじ込むための雄ネジ部を設け、他端部に、締め付け工具に係合する係合部を設けたことを特徴とするアンカー筋。
【請求項２】
ハーフプレキャストコンクリート板を用いたスラブ接合構造であって、
梁部材又は柱部材等に埋め込むインサート部材と、前記インサート部材に取り付けて、前記ハーフプレキャストコンクリート板を支持するアンカー筋とを備え、
前記インサート部材には、前記アンカー筋の一端部をねじ込むための雌ネジ部を設け、
前記アンカー筋には、その一端部に、前記雌ネジ部にねじ込むための雄ネジ部を設けると共に、他端部に、締め付け工具に係合する係合部を設けたことを特徴とするスラブ接合構造。
【発明の詳細な説明】
【技術分野】
【０００１】
本発明は、アンカー筋及びこれを用いたスラブ接合構造に関するものであり、例えば、ハーフプレキャストコンクリート板を用いたスラブ接合構造及びこれに使用するアンカー筋に関するものである。
【背景技術】
【０００２】
現在、工場で製作したハーフＰＣａ（プレキャストコンクリート）板を現場で兼用型枠として配置し、その上面に上端配筋を行って、現場でコンクリートを打ち込んで一体化することにより合成スラブを建造するハーフプレキャスト工法が普及している。
【０００３】
このようなハーフプレキャスト工法では、現場作業が繁雑なものとなっており、現場作業員の負担軽減や施工の効率化を図るため、種々の技術が提案されている（例えば、特許文献１参照）。特許文献１（実用新案登録第３０４１７５４号公報）に記載されたハーフプレプレキャストスラブは、ハーフプレキャスト板上に現場打ちコンクリートの流れをせき止めるための堰き止め手段を突出させたものである。
【先行技術文献】
【特許文献】
【０００４】
【特許文献１】実用新案登録第３０４１７５４号公報
【発明の概要】
【発明が解決しようとする課題】
【０００５】
ところで、ハーフプレキャストコンクリート板を用いたスラブ接合構造では、例えば、フルプレキャストコンクリートからなる柱部材や梁部材等にスラブ下端筋を定着させる必要がある。この際、柱や梁等に対して所定の間隔で鉄筋を設置するために、柱や梁等に予めインサート部材を埋め込み、先端部に雄ネジ加工を施した鉄筋をインサート部材にねじ込むことにより、柱や梁等にスラブ下端筋を定着させるのが一般的である。このような作業は、現場作業員による手作業であり、差筋の数が多い場合には、作業員の負担が大きいだけではなく、作業効率が悪いという問題があった。
【０００６】
本発明は、上述した事情に鑑み提案されたもので、例えば、ハーフプレキャストコンクリート板を用いたスラブ接合構造を施工する際に、作業員の負担を軽減して作業効率を向上させると共に、施工品質を向上させ、さらに施工価格を低減させることが可能なアンカー筋及びこれを用いたスラブ接合構造を提供することを目的とする。
【課題を解決するための手段】
【０００７】
本発明のアンカー筋及びこれを用いたスラブ接合構造は、上述した目的を達成するため、以下の特徴点を有している。すなわち、本発明のアンカー筋は、一端部に、インサート部材に設けた雌ネジ部にねじ込むための雄ネジ部を設け、他端部に、締め付け工具（例えば、レンチ又はドライバ）に係合する係合部を設けたことを特徴とするものである。
【０００８】
また、本発明のアンカー筋を用いたスラブ接合構造は、ハーフプレキャストコンクリート板を用いたスラブ接合構造であって、梁部材又は柱部材等に埋め込むインサート部材と、当該インサート部材に取り付けて、ハーフプレキャストコンクリート板を支持するアンカー筋とを備えたことを特徴とするものである。なお、インサート部材は、予め梁部材又は柱部材等に埋め込まれているものだけではなく、後打ちのインサート部材にも適用することができる。すなわち、本発明のアンカー筋を用いたスラブ接合構造は、梁部材又は柱部材等に埋め込むインサート部材とアンカー筋との組み合わせに適用するものであり、ただ単に鉄筋と他の部材とを接続する構造とは相違する。
【０００９】
このスラブ接合構造に用いるインサート部材には、アンカー筋の一端部をねじ込むための雌ネジ部を設けている。また、アンカー筋には、その一端部に、インサート部材の雌ネジ部にねじ込むための雄ネジ部を設け、他端部に、締め付け工具（例えば、レンチ又はドライバ）に係合する係合部を設けている。
【００１０】
上述した構成からなるアンカー筋及びこれを用いたスラブ接合構造は、インサート部材の雌ネジ部に対して、アンカー筋の一端部（先端部）に設けた雄ネジ部をねじ込む際に、アンカー筋の他端部（頭部）に設けた係合部（例えば、ナット部又はドライバの係合溝）に締め付け工具（例えば、レンチ又はドライバ）を係合させる。そして、締め付け工具（例えば、レンチ又はドライバ）を用いてアンカー筋を回転させることにより、雌ネジ部に雄ネジ部をねじ込み、インサート部材にアンカー筋を定着させる。
【発明の効果】
【００１１】
本発明のアンカー筋及びこれを用いたスラブ接合構造によれば、アンカー筋の頭部に締め付け工具（例えば、レンチ又はドライバ）に係合する係合部（例えば、ナット部又はドライバの係合溝）を設けてある。このため、アンカー筋を、梁部材又は柱部材に埋め込まれたインサート部材に取り付ける際に、係合部（例えば、ナット部又はドライバの係合溝）に合致する締め付け工具（例えば、レンチ又はドライバ）を用いてアンカー筋を回転させることができるので、作業員がアンカー筋を指先で回転させる場合と比較して、作業員の負担を軽減して作業効率を向上させることができる。
【００１２】
特に、締め付け工具としてインパクトレンチやインパクトドライバを用いて、アンカー筋を回転させ、その先端部をインサート部材にねじ込むことにより、より一層、作業員の負担を軽減して作業効率を向上させることができると共に、施工価格を低減させることが可能となる。
【図面の簡単な説明】
【００１３】
【図１】本発明の実施例１に係るアンカー筋の斜視図及び係合部の模式図。
【図２】本発明の実施例２に係るアンカー筋の斜視図及び係合部の模式図。
【図３】本発明の実施形態に係るアンカー筋を用いたスラブ接合構造に使用するインサート部材の斜視図。
【図４】本発明の実施形態に係るアンカー筋を用いたスラブ接合構造の模式図。
【発明を実施するための形態】
【００１４】
以下、図面を参照して、本発明のアンカー筋及びこれを用いたスラブ接合構造の実施形態を説明する。図１〜図４は本発明の実施形態に係るアンカー筋及びこれを用いたスラブ接合構造を示すもので、図１（ａ）及び図２（ａ）はアンカー筋の構成を示す斜視図、図１（ｂ）及び図２（ｂ）は係合部の形状を示す模式図、図３はインサート部材の斜視図、図４はスラブ接合構造の模式図である。
【００１５】
＜アンカー筋及びスラブ接合構造の概要＞
本発明の実施形態に係るアンカー筋及びこれを用いたスラブ接合構造は、例えば、ハーフプレキャストコンクリート板を用いたスラブ接合構造に好適に使用されるものであり、特に、インパクトレンチやインパクトドライバ等の締め付け工具を用いることにより、インサート部材に対してアンカー筋を確実かつ適切なトルクで定着させることができる。
【００１６】
＜アンカー筋／実施例１＞
実施例１のアンカー筋１０は、図１（ａ）及び図１（ｂ）に示すように、一端部（先端部）に雄ネジ部１１を設け、他端部（頭部）に係合部として機能するナット部１２を設けたものである。雄ネジ部１１は、例えば、圧延や削り出しにより形成することができ、ナット部１２は、例えば、圧延や溶接により形成することができる。雄ネジ部１１の長さは、インサート部材２０の雌ネジ部２１の長さに略一致させている。
【００１７】
＜アンカー筋／実施例２＞
実施例２のアンカー筋１１０は、図２（ａ）及び図２（ｂ）に示すように、一端部（先端部）に雄ネジ部１１１を設け、他端部（頭部）に係合部として機能する溝部１１２を設けたものである。実施例１と同様に、雄ネジ部１１１は、例えば、圧延や削り出しにより形成することができ、溝部１１２は、例えば、削り出しにより形成することができる。また、雄ネジ部１１１の長さは、インサート部材２０の雌ネジ部２１の長さに略一致させている。
【００１８】
なお、溝部１１２は、マイナスドライバに適合するマイナス溝であってもよいし、プラスドライバに適合するプラス溝であってもよい。さらに、実施例１のナット部１２と実施例２の溝部１１２とを組み合わせてもよい。
【００１９】
＜インサート部材＞
インサート部材２０は、図３に示すように、スラブ接合構造を構築する際に、梁部材又は柱部材に埋め込んで使用する部材で、アンカー筋１０の一端部をねじ込むための雌ネジ部２１を備えている。なお、インサート部材２０の形状は、図３に示すものに限られず、基端部（雌ネジ部２１の開放端とは反対側の端部）を二股に分岐させる等、梁部材又は柱部材に強固に定着することができる構造とすることが好ましい。
【００２０】
＜締め付け工具＞
本発明で使用する締め付け工具は、例えば、レンチ又はドライバからなる。さらに、レンチはインパクトレンチであることが好ましく、ドライバはインパクトドライバであることが好ましい。これにより、作業員の負担が軽減して作業効率が向上する。
【００２１】
インパクトレンチ及びインパクトドライバは、電動モータや圧縮空気により回転部材を回転させると共に、ハンマー部材を回転させるようになっている。また、ハンマー部材の回転軸の先端部にはソケットやドライバを取り付けることができる。ハンマー部材が回転すると回転軸に衝撃が加わり、回転軸の先端部に取り付けたソケットやドライバが回転する。ソケットやドライバを取り付けた回転軸は衝撃を受けながら回転するため、大きなトルクを付与することができると共に、付与されるトルクは一定のものとなる。
【００２２】
＜スラブ接合構造＞
本発明の実施形態に係るスラブ接合構造は、図４に示すように、梁部材又は柱部材にインサート部材２０を埋め込み、このインサート部材２０に、ハーフプレキャストコンクリート板３０を支持するアンカー筋１０（下端筋）を取り付けた構造となっている。
【００２３】
インサート部材２０にアンカー筋１０を取り付けるには、インサート部材２０の雌ネジ部２１に、アンカー筋１０の雄ネジ部１１を合致させ、アンカー筋１０の係合部（図４に示す例ではナット部１２）に締め付け工具４０（インパクトレンチ又はインパクトドライバ）のソケット４１（レンチ部またはドライバ部）を係合させる。この状態で、ソケット４１を締め付け方向に回転させることにより、アンカー筋１０の雄ネジ部１１がインサート部材２０の雌ネジ部２１にねじ込まれて、アンカー筋１０を梁部材又は柱部材に定着させることができる。
【００２４】
＜他の実施形態＞
上述した実施形態では、鉄筋に対して加工が容易であるという点で、係合部をナット部１２又は溝部１１２としているが、レンチやドライバあるいはその他の締め付け工具に係合する形状であれば、他の形状の係合部を設けてもよい。
【符号の説明】
【００２５】
１０  アンカー筋
１１  雄ネジ部
１２  ナット部
２０  インサート部材
２１  雌ネジ部
３０  ハーフプレキャストコンクリート板
４０  締め付け工具
４１  ソケット
１１０  アンカー筋
１１１  雄ネジ部
１１２  溝部
【図１】
2014020120.tif 000003
【図２】
2014020120.tif 000004
【図３】
2014020120.tif 000005
【図４】
2014020120.tif 000006